(57)【特許請求の範囲】
【請求項１】
空の受皿に農産物を載置する農産物供給部と、
前記農産物供給部から供給される受皿上の農産物の等級および階級の仕分け区分を判定するための計測装置を有し、前記計測装置による等級および階級の仕分け区分について判定済みの農産物入り受皿を搬送する選別装置と、
前記計測装置の計測情報に基づいて前記受皿に載置した農産物の等級および階級の仕分け区分を前記受皿の固有識別情報に対応して記憶して管理する演算手段と、
前記選別装置を経た等級および階級の仕分け区分について判定済みの農産物入り受皿を搬送する仕分けコンベアを有し、該仕分けコンベアの搬送路に沿って多数設けられたプールコンベアに前記演算手段からの仕分け信号に基づいて仕分け区分別に農産物を排出する仕分け装置と、
前記演算手段に農産物の品種又は品目情報を入力するための入力手段と、
前記プールコンベアから搬送される受皿上の農産物を包装する包装部と、を有し、
前記選別装置で選別済みの農産物を、前記仕分け装置が前記プールコンベアに前記演算手段からの仕分け信号に基づいて仕分け区分別に排出し、該プールコンベアから搬送される農産物を前記包装部で包装用の箱に所定個数包装する農産物の選別包装装置であって、
前記農産物供給部に供給する農産物の品種又は品目を前記入力手段から前記演算手段に入力され、他の品種又は品目に切り替えて、プールコンベアにプールしている切り替え前の農産物の排出作業と切り替え後の農産物の選別仕分け作業が混在する切り替えの際には、
前記演算手段は、
切り替え前の農産物と切り替え後の農産物の品種又は品目の仕分け区分を前記受皿の固有識別情報に対応して管理し、
切り替え前の農産物に対する包装処理を実行しながら該切り替え前の農産物がプールされていないプールコンベアを選択し、該切り替え前の農産物がプールされていないプールコンベアに前記仕分けコンベア上を移動する切り替え後の農産物を切り替え後の品種又は品目情報に基づいてプールさせると共に、指定された特定のプールコンベアについて、切り替え前の農産物がプールされているプールコンベアにおける同一等階級の農産物で一箱に要する箱詰個数に満たない端数を集めて箱詰個数となる詰め合わせ計算である端数処理を行い、該端数処理をかけられたプールコンベアにプールしている箱詰個数に満たない農産物を優先して前記包装部に排出して空のプールコンベアを作り出すことを特徴とする農産物の選別包装装置。
【請求項２】
空の受皿に農産物を載置する農産物供給部と、
前記農産物供給部から供給される受皿上の農産物の等級および階級の仕分け区分を判定するための計測装置を有し、前記計測装置による等級および階級の仕分け区分について判定済みの農産物入り受皿を搬送する選別装置と、
前記計測装置の計測情報に基づいて前記受皿に載置した農産物の等級および階級の仕分け区分を前記受皿の固有識別情報に対応して記憶して管理する演算手段と、
前記演算手段に前記農産物供給部に供給する農産物の品種又は品目を入力するための入力手段と、
前記選別装置を経た等級および階級の仕分け区分について判定済みの農産物入り受皿を搬送する仕分けコンベアを有し、該仕分けコンベアの搬送路に沿って多数設けられたプールコンベアに前記演算手段からの仕分け信号に基づいて仕分け区分別に農産物を排出する仕分け装置を一系列とし、複数系列の仕分け装置からなる仕分け部と、
前記各系列の仕分け装置における多数のプールコンベアを各系列のプールコンベアをそれぞれ含むようにして複数のグループに分け、各グループ分けされた各プールコンベア群毎に配置され、前記プールコンベアから搬送される受皿上の農産物を包装する包装部と、
前記各包装部と前記各プールコンベア群との間に夫々配置され、プールコンベアにプールされている農産物入り受皿を各系列毎に前記包装部に対し選択的に送出す送出装置と、を有し、
前記選別装置で選別済みの農産物を、前記仕分け装置が前記プールコンベアに前記演算手段からの仕分け信号に基づいて仕分け区分別に排出し、該プールコンベアから搬送される農産物を前記包装部で包装用の箱に所定個数包装する農産物の選別包装装置であって、
前記農産物供給部に供給する農産物の品種又は品目を前記入力手段から前記演算手段に入力され、他の品種又は品目に切り替えて、プールコンベアにプールしている切り替え前の農産物の排出作業と切り替え後の農産物の選別仕分け作業が混在する切り替えの際には、
前記演算手段は、
切り替え前の農産物に対する包装処理を実行しながら該切り替え前の農産物がプールされていないプールコンベアを選択し、該切り替え前の農産物がプールされていないプールコンベアに前記仕分けコンベア上を移動する切り替え後の農産物を品種又は品目情報に基づいてプールさせると共に、前記各グループ分けされた各プールコンベア群におけるプールコンベアにプールされている切り替え前の農産物の個数を仕分け区分別にカウントし、
該カウント結果に基づいて一箱の箱詰包装個数を満たす組み合わせ計算である端数処理を前記一又は複数系列の仕分け装置におけるプールコンベアの中から特定の仕分け装置におけるプールコンベアを指定して行うと、
前記送出装置が、前記特定の仕分け装置におけるプールコンベアの農産物を優先的に前記包装部に排出して空のプールコンベアを作り出すことを特徴とする農産物の選別包装装置。
【発明の詳細な説明】
【０００１】
【発明の属する技術分野】
本発明は、りんご、柿、梨、トマト、茄子、胡瓜等の農産物を選別し、箱詰め包装して出荷する選果場等において用いるのに適した農産物の選別包装装置に係り、特に同一品目における品種の切り替え、品目の切り替えの際に、迅速に切り替え後の農産物の選別包装を可能とする農産物の選別包装装置に関する。
【０００２】
【従来の技術】
農産物の選別包装装置としては、フリートレイ式と称される受皿を用いたタイプのものがある（特許文献１）。この受皿は例えば個々の受皿固有の識別情報としてのバーコードを外周面に設けているもので、選別コンベアの上流側に空の受皿が逐次供給される。そして、生産者からコンテナにより選果場に運び込まれた農産物を作業者が農産物供給部において選別コンベア上の空の受皿に載置する。
【０００３】
この農産物供給部から前記選別コンベアの搬送方向下流側には、農産物の選別のための仕分け区分を判定する計測装置が配置され、この計測装置で計測した計測結果が演算処理装置に入力される。また、前記計測装置の入り口あるいは出口側には前記選別コンベア上を搬送される農産物の載置された前記受皿のバーコードを読み取るバーコードリーダーが配置され、前記計測装置の計測結果とバーコードの固有情報とを対応させて前記演算処理装置のメモリに記憶される。
【０００４】
この計測装置を通過して選別コンベア上を搬送される受皿上の農産物は、既に等級（優、秀等）、階級（ＬＬ、Ｌ、Ｍ、Ｓ等）が前記計測装置による計測結果に基づいて判定されている。
【０００５】
前記計測装置を通過した農産物入り受皿は、選別コンベアから仕分けコンベアに移載される。前記仕分けコンベアの搬送路には、搬送方向に沿って複数の排出装置が設けられ、仕分けコンベア上を移動する農産物入りの受皿を仕分け区分毎に側方のプールコンベアに夫々排出する排出装置が設けられている。この排出装置は、対応する２条のプールコンベアに対してそれぞれ異なる仕分け区分の農産物入り受皿を排出することができるようになっており、各プールコンベアはそれぞれが同一仕分け区分の農産物を箱詰包装単位数プールするようになっている。
【０００６】
この選別コンベアに沿って設けられた前記農産物供給部、前記計測装置及び前記選別コンベアからなる装置構成を以下選別装置と称し、また、前記仕分けコンベア、前記複数の排出装置及び複数の前記プールコンベアからなる装置構成を以下仕分け装置と称すると、前記選別装置と前記仕分け装置とは略平面的に配置されており、前記仕分け装置を上下に複数段に渡って配置した構成が提案されている。また、各プールコンベアの先端部には農産物入りの受皿の排出を規制するストッパーがそれぞれ設けられている。
【０００７】
このような仕分け装置を上下に複数段、例えば３段に渡って配置した構成において、一つのプールコンベア群が上下方向に隔設して配置され、各プールコンベア群はそれぞれ同じ仕分け区分のものを受け持つようになっており、各上下方向に配置されるプールコンベア群に対して１つの箱詰装置が該プールコンベア群の前方に距離を有して例えば中段のプールコンベア群と略同一レベルに配置されている。
【０００８】
そして、プールコンベア群の上段、中段あるいは下段の各プールコンベア群と前記各箱詰装置とを選択的に接続する送出コンベアが上下方向に傾動可能に取り付けられ、この送出コンベアの傾動端が例えば上段のプールコンベア群の各レーンに合わせられた場合には、該上段の各プールコンベアの前記ストッパーが解除され、上段の各プールコンベアにプールされていた農産物入り受皿が前記送出コンベアを経て前記箱詰装置に搬送され、吸引手段で所定個数ずつ一度に吊り下げ保持された農産物を包装箱内に自動装填されたトレイパック上に箱詰する。
【０００９】
また、この送出コンベアの接続するプールコンベア群の段位置を切り替えることにより、略連続的に農産物入りの受皿を箱詰装置に供給することができるようになっている。
【００１０】
仕分け装置を多段に配置したこのような選別包装装置は、例えば１つの品種の農産物を一度に複数の選別装置によって選別し、且つ複数の仕分け装置により所定の仕分け区分に仕分けしてプールすることができるので、平面的な設置面積を広げることなく一度に大容量の農産物を短時間に選別し、包装できるという利点を備えている。
【００１１】
【特許文献１】
特開平１０−１７５６１０号公報
【００１２】
【発明が解決しようとする課題】
ところで、果実等の農産物において、同じ品目でも数種類の品種があり、これらの選別作業は、通常、品種毎に行われており、このような従来の農産物の選別包装装置において、品種Ａから品種Ｂに切り替わる際に、品種Ａと品種Ｂが混じらないようにするために、先ず各選別装置における供給部に対して次の品種Ｂの供給は中止しておき、既に選別コンベア上の受皿に載置した品種Ａの農産物についてはそのまま計測装置による計測処理を行い、仕分け処理を行って所定の仕分け区分におけるプールコンベアまで通常通り排出する。この状態は上下方向における全ての仕分け装置について同時に行われる。
【００１３】
なお、上下に隔設されて整列するプールコンベア群における上段、中段及び下段の各プールコンベア群をそれぞれ例えば６レーンとすると、一つの上下に隔設されて整列するプールコンベア群には合計１８レーンのプールコンベアが存在し、仕分け区分別（等級別、階級別）に区分けされてプールされている。
【００１４】
そして、一つの積層プールコンベア群における上段、中段、下段の各プールコンベア群上に残った品種Ａの農産物を仕分け区分別にそれぞれ前記箱詰装置に送出し、各段毎で仕分け区分別に箱詰を行い、箱詰個数に満たない端数が生じた場合にはこの端数を取り敢えず包装箱内に収容し、この所定個数に満たない農産物が収容された包装箱（以下端数包装箱と称す）を各箱詰装置の配置されている場所の近傍或いは指定された別の場所に仮置きすること、あるいは箱詰が完了した包装箱を搬出するための搬出コンベアにより端数包装箱を搬出して一箇所にまとめて仮置きするといった保管方法が行われていた。
【００１５】
また、例えば、複数の品目の果実が同時期に収穫できる産地では、選果場に入荷される複数の品目の果実を効率よく選別するという要請から、品目の切り替えの際には、上述した品種の切り替え時と同様の作業を行うようにしている。
【００１６】
しかしながら、このような端数包装箱は各箱詰装置において、同じ仕分け区分でも段位置が異なれば別々に包装箱に収容されるため、端数包装箱の数が多くなる。
【００１７】
このため、以下のような問題があった。
【００１８】
１  多数存在する全てのプールコンベア上の端数の農産物が取り除かれるまでは各選別装置は休止状態となり次の品種あるいは品目の農産物の選別仕分け作業が行われないため、選別仕分け処理能力の低下を招いていた。
【００１９】
２  端数包装箱を保管するのに手間を要していた。
【００２０】
３  端数包装箱の個数を減らすために、同一仕分け区分の農産物が収容された複数の端数包装箱内の農産物をできるだけ一箱に収める処理を手作業で行っていることから、箱詰装置の周囲が乱雑になる傾向にあった。
【００２１】
４  品種あるいは品目の切り替え回数が多くなると、端数の農産物を取り除くといった切り替えに要する作業時間がその分増え、さらに選別仕分け能力の低下を招くおそれがあった。
【００２２】
本願発明は、このような従来の問題に鑑みなされたもので、農産物の品種あるいは品目の切り替え指示がなされてから実際に切り替え後の農産物が仕分けされて箱詰待機状態となるまでの時間をできるだけ短縮し、選別仕分けから箱詰までの作業効率を高めることができる農産物の選別包装装置を提供しようとするものである。
【００２３】
また、複数の仕分け装置が並列的に複数配置されているという特徴を有効に利用し、品種あるいは品目の切り替え前後における農産物に対し、同時平行的に選別仕分け処理を可能とすることにより、品種あるいは品目の切り替え時における選別仕分け処理の休止時間を低減し、処理効率の向上を図ることができる農産物の選別包装装置を提供しようとするものである。
【００２４】
【課題を解決するための手段】
本出願に係る発明の第１の構成は、請求項１に記載のように、空の受皿に農産物を載置する農産物供給部と、前記農産物供給部から供給される受皿上の農産物の等級および階級の仕分け区分を判定するための計測装置を有し、前記計測装置による等級および階級の仕分け区分について判定済みの農産物入り受皿を搬送する選別装置と、前記計測装置の計測情報に基づいて前記受皿に載置した農産物の等級および階級の仕分け区分を前記受皿の固有識別情報に対応して記憶して管理する演算手段と、前記選別装置を経た等級および階級の仕分け区分について判定済みの農産物入り受皿を搬送する仕分けコンベアを有し、該仕分けコンベアの搬送路に沿って多数設けられたプールコンベアに前記演算手段からの仕分け信号に基づいて仕分け区分別に農産物を排出する仕分け装置と、前記演算手段に農産物の品種又は品目情報を入力するための入力手段と、前記プールコンベアから搬送される受皿上の農産物を包装する包装部と、を有し、前記選別装置で選別済みの農産物を、前記仕分け装置が前記プールコンベアに前記演算手段からの仕分け信号に基づいて仕分け区分別に排出し、該プールコンベアから搬送される農産物を前記包装部で包装用の箱に所定個数包装する農産物の選別包装装置であって、
前記農産物供給部に供給する農産物の品種又は品目を前記入力手段から前記演算手段に入力され、他の品種又は品目に切り替えて、プールコンベアにプールしている切り替え前の農産物の排出作業と切り替え後の農産物の選別仕分け作業が混在する切り替えの際には、前記演算手段は、切り替え前の農産物と切り替え後の農産物の品種又は品目の仕分け区分を前記受皿の固有識別情報に対応して管理し、切り替え前の農産物に対する包装処理を実行しながら該切り替え前の農産物がプールされていないプールコンベアを選択し、該切り替え前の農産物がプールされていないプールコンベアに前記仕分けコンベア上を移動する切り替え後の農産物を切り替え後の品種又は品目情報に基づいてプールさせると共に、指定された特定のプールコンベアについて、切り替え前の農産物がプールされているプールコンベアにおける同一等階級の農産物で一箱に要する箱詰個数に満たない端数を集めて箱詰個数となる詰め合わせ計算である端数処理を行い、該端数処理をかけられたプールコンベアにプールしている箱詰個数に満たない農産物を優先して前記包装部に排出して空のプールコンベアを作り出すことを特徴とする農産物の選別包装装置にある。
【００２５】
この第１の構成では、仕分けコンベア上を搬送する農産物についは、等級、階級の他に品種又は品目の項目が記憶されているので、例えば品種Ａの農産物に続いて異なる品種Ｂを搬送しても、例えば農産物の切り替えの際に、切り替え前の品種Ａの農産物がプールされていない空のプールコンベアを用意し、この空のプールコンベアに切り替え後の品種Ｂの農産物をプールさせることにより、切り替え前の品種Ａの農産物の包装処理と並行して切り替え後の品種Ｂの農産物についての選別仕分け処理が行え、切り替え前の農産物の包装処理が進めば空となるプールコンベアも増え、切り替え後の農産物が占めるプールコンベアの割合が増え、切り替え前の農産物の包装処理に並行して切り替え後の農産物の包装処理も可能であり、切り替え前の農産物包装処理が終了すると、直ちに切り替え後の農産物の包装処理を実行することができる。
【００２６】
なお、農産物の等級、階級及び品種又は品目については、農産物の仕分け区分が判定された際に受皿に設けた受皿固有の識別情報と対応させてパソコン等で構成される仕分け制御手段に記憶される。そして、仕分け制御手段は、仕分けコンベア上を搬送される農産物入り受皿について、仕分け装置に設けたバーコードリーダで読み取った受皿の固有情報から等級、階級及び品種又は品目を読み出し、等級別階級別品種又は品目別の仕分け信号を該当する排出装置に送り所定のプールコンベアに排出してプールする。
【００２７】
また、上記受皿に設けたバーコードに代えてＩＤタグ等の情報記憶媒体を受皿個々に設けることにより、受皿個々について直接仕分け区分を記憶あるいは読み出すことができる。
【００２８】
本出願に係る発明の第２の構成は、請求項２に記載のように、空の受皿に農産物を載置する農産物供給部と、前記農産物供給部から供給される受皿上の農産物の等級および階級の仕分け区分を判定するための計測装置を有し、前記計測装置による等級および階級の仕分け区分について判定済みの農産物入り受皿を搬送する選別装置と、前記計測装置の計測情報に基づいて前記受皿に載置した農産物の等級および階級の仕分け区分を前記受皿の固有識別情報に対応して記憶して管理する演算手段と、前記演算手段に前記農産物供給部に供給する農産物の品種又は品目を入力するための入力手段と、前記選別装置を経た等級および階級の仕分け区分について判定済みの農産物入り受皿を搬送する仕分けコンベアを有し、該仕分けコンベアの搬送路に沿って多数設けられたプールコンベアに前記演算手段からの仕分け信号に基づいて仕分け区分別に農産物を排出する仕分け装置を一系列とし、複数系列の仕分け装置からなる仕分け部と、前記各系列の仕分け装置における多数のプールコンベアを各系列のプールコンベアをそれぞれ含むようにして複数のグループに分け、各グループ分けされた各プールコンベア群毎に配置され、前記プールコンベアから搬送される受皿上の農産物を包装する包装部と、前記各包装部と前記各プールコンベア群との間に夫々配置され、プールコンベアにプールされている農産物入り受皿を各系列毎に前記包装部に対し選択的に送出す送出装置と、を有し、前記選別装置で選別済みの農産物を、前記仕分け装置が前記プールコンベアに前記演算手段からの仕分け信号に基づいて仕分け区分別に排出し、該プールコンベアから搬送される農産物を前記包装部で包装用の箱に所定個数包装する農産物の選別包装装置であって、前記農産物供給部に供給する農産物の品種又は品目を前記入力手段から前記演算手段に入力され、他の品種又は品目に切り替えて、プールコンベアにプールしている切り替え前の農産物の排出作業と切り替え後の農産物の選別仕分け作業が混在する切り替えの際には、前記演算手段は、切り替え前の農産物に対する包装処理を実行しながら該切り替え前の農産物がプールされていないプールコンベアを選択し、該切り替え前の農産物がプールされていないプールコンベアに前記仕分けコンベア上を移動する切り替え後の農産物を品種又は品目情報に基づいてプールさせると共に、前記各グループ分けされた各プールコンベア群におけるプールコンベアにプールされている切り替え前の農産物の個数を仕分け区分別にカウントし、該カウント結果に基づいて一箱の箱詰包装個数を満たす組み合わせ計算である端数処理を前記一又は複数系列の仕分け装置におけるプールコンベアの中から特定の仕分け装置におけるプールコンベアを指定して行うと、前記送出装置が、前記特定の仕分け装置におけるプールコンベアの農産物を優先的に前記包装部に排出して空のプールコンベアを作り出すことを特徴とする農産物の選別包装装置にある。
【００２９】
この第２の構成では、例えば上段、中段、下段の３系列の仕分け装置によって仕分け部を構成することができ、例えば1系列における６レーンのプールコンベアを３系列合わせたものを一つのグループとすると、一つのプールコンベア群には１８レーンのプールコンベアが存在する。そして、農産物の品種又は品目の切り替えの際に、１８レーンのプールコンベアの中で各系列毎に１又は複数の空のプールコンベアを用意しておけば、上記した第１の構成と同様に、切り替え後の農産物は空のプールコンベアにプールされ、切り替え前の農産物は、送出装置によって包装部に送出されて包装される。
【００３３】
この第２の構成では、例えば３系列に渡る一つのプールコンベア群における複数のプールコンベアには、例えば階級が３Ｌの品種「アンデス」のメロンが等級（優、秀等）別にプールされている場合、品種を「プリンス」に切り替え、農産物の切り替え指示を例えば上下３段構成の下段の仕分け装置に指示したとすると、該下段の仕分け装置のプールコンベアにプールされている切り替え前の農産物から包装部に排出されるので、下段のプールコンベアが他の系列のプールコンベアよりも早期に空となり、農産物の切り替えが指示された下段の空のプールコンベアに切り替え後の農産物がプールされる。
【００３４】
また、上記第１、第２の構成では、端数処理によって、同一仕分け区分の農産物を最終的に端数が出るまで所定個数での箱詰が行えるので、箱詰個数に満たない端数個の農産物を仮に収容した箱の個数を大幅に削減することができ、包装部の周囲を整頓することができた。
【００３５】
さらに、従来では端数の農産物を複数の包装箱に仮に収容し、後でこれらの農産物を手作業で箱詰し、最終的に端数の出たものを一箱に収容していたが、、上記第１、第２の構成では、このような作業が自動化され、その分作業者を農産物の供給に投入することができ、農産物の迅速な供給を行うことができる。
【００３８】
【発明の実施の形態】
以下本発明を図面に示す実施の形態に基づいて詳細に説明する。
【００３９】
図１、図２及び図３は本発明の実施の形態を示し、図１は農産物の選別包装装置を示す平面図及び制御系のブロック図、図２は図１に示す一つの箱詰装置とこれに対応する排出装置、プールコンベア及び仕分けコンベア等を示す拡大図、図３は図１のＡ−Ａ矢視図である。
【００４０】
本実施の形態における農産物の選別包装装置は、フリートレイ式と称される受皿Ｄを用いたもので、前述した従来例と略同様の機械的な構成としている。
【００４１】
本実施の形態の農産物の選別包装装置は、図１に示す仕分け装置１を上下に３段に渡って隔設配置し、各段の仕分け装置１にはそれぞれ選別装置２を略同一平面に配置し、各段の選別装置２の選別コンベア３からは計測済みの農産物を載置した受皿Ｄが夫々の対応する段の仕分け装置１の仕分けコンベア９に移載されるようになっている。
【００４２】
各段の選別装置２は同じ構成のものが使用されているので、図１に示す上段用の選別装置２について以下に説明する。
【００４３】
選別装置２の農産物供給部４は２条式に構成され、２条の分岐選別コンベア５ａ、５ａに供給された空の受皿Ｄに作業者Ｐ１が農産物を載置するようになっている。各分岐選別コンベア５ａ、５ｂの搬送方向下流側には、各分岐選別コンベア５ａ、５ｂに対応して計測装置６が配置され、計測項目に対応した計測が実行され、計測結果が選別包装装置の全体を制御する演算制御装置７に出力されるようになっている。また、計測装置６の出口側には、分岐選別コンベア５ａ、５ｂ上を搬送される計測済みの農産物を載置した受皿の固有識別情報、例えばバーコードを読み取るバーコードリーダー８ａ、８ｂがそれぞれ配置され、読み取った受皿の固有識別情報を演算制御装置７に出力する。
【００４４】
この演算制御装置７では、図４に示すように、受皿の固有識別情報としてのアドレス番号と、受皿上の農産物の計測結果とを対応させて書き込みデータとして当該演算制御装置７のメモリー部に記憶するようになっている。なお、図４に示す書き込み項目は、品種、階級、等級としているが、生産者等の項目についても書き込まれ、品種や生産者等の項目については農産物供給部４の近傍に配置した操作卓２４等を操作して演算制御装置７に入力するようになっている。
【００４５】
２本の分岐選別コンベア５ａ、５ｂは搬送方向下流側で１本の選別コンベア３に接続され、２本の分岐選別コンベア５ａ、５ｂ上を搬送された農産物の載置された受皿Ｄをこの１本の選別コンベア３に合流させる。そして、選別コンベア３の先端部は仕分け装置１のエンドレス構成の仕分けコンベア９に接続され、仕分け区分が判別された農産物入り受皿Ｄを図中右回りに搬送させる。
【００４６】
仕分けコンベア９は、搬送される受皿Ｄを排出装置で払い出すための払い出し搬送路９ａと、該払い出し搬送路９ａの終端から元の始端位置に受皿Ｄを戻すリターン搬送路９ｂとを有するエンドレス構成としたもので、該始端位置を通過した直後の受皿Ｄのバーコードを払い出し用バーコードリーダー１０で読み取り、読み取った受皿Ｄの固有識別情報を演算制御装置７に出力するようにしている。
【００４７】
仕分けコンベア９の払い出し搬送路９ａに沿って、複数の排出装置１１が配置されており、演算制御装置７の仕分け制御部からの仕分け信号が入力されると、当該仕分け信号が入力された排出装置１１の近傍を通過する受皿Ｄを側方の２条のプールコンベア１２、例えばプールコンベア１２ａ、１２ｂのいずれか決められている側に排出する。なお、この２条のプールコンベア１２（１２ａと１２ｂ、１２ｃと１２ｄ、１２ｅと１２ｆ）に対して、排出装置１１を一台としているが、当該排出装置１１は、仕分け信号によりいずれか一方のプールコンベア１２（１２ａ又は１２ｂ、１２ｃ又は１２ｄ、１２ｅ又は１２ｆ）に排出できるようになっている。
【００４８】
排出装置１１は図２に示すように、矢印方向に常時回転する回転体１１ａの外周部に複数の電磁石が設けられ、払い出し搬送路９ａを通過する受皿Ｄ上の農産物が例えばプールコンベア１２ａと１２ｂの一方のプールコンベア１２ａに払い出すべき仕分け区分の農産物である場合には、この受皿Ｄが当該排出装置１１に到達するタイミングで当該排出装置１１に対して仕分け信号が入力される。すると、受皿Ｄを吸着した当該電磁石が回転体１１ａと共に時計方向に回転して、早いタイミングで当該電磁石への通電を断つことにより、直線で示す矢印に沿って略真っ直ぐにプールコンベア１２ａに払い出される。また、他方のプールコンベア１２ｂに払い出すべき仕分け区分の農産物である場合には、回転体１１ａがさらに回転した位置で当該電磁石への通電を断つことにより、左側のプールコンベア１２ｂに受皿Ｄが払い出される。
【００４９】
本実施の形態において、隣り合って並設した複数のレーンを一つのプールコンベア群Ｃとし、このプールコンベア群Ｃ（Ｃ１〜Ｃ６）を複数並設している。
【００５０】
これら複数のプールコンベア群Ｃを構成する各レーンのプールコンベア１２は、排出側先端部に、図３に示すように、ストッパー装置１３が取り付けられ、払い出し制御装置１４によりストッパー装置１３の動作が制御されるようになっている。農産物の載置された受皿Ｄの排出を一時的に停止するために払い出し制御装置１４からストッパー装置１３にストッパー動作信号が出力されると、ストッパー部材１３ａが上方に突出し、プールコンベア上の先端に位置する農産物の載置された受皿Ｄに当接することにより、この受皿Ｄから後方の受皿Ｄに対して搬送方向への移動を阻止する。また、払い出し制御装置１４からストッパー装置１３にストッパー解除信号が出力されると、ストッパー部材１３ａが下方に移動することで先頭の受皿Ｄに対する当接が解除され、以後ストッパー部材１３ａが上方に突出するまでプールコンベア１２上の受皿Ｄが排出される。
【００５１】
上述のように、仕分け装置１は夫々上下方向に３段に隔設配置されていて、プールコンベア群Ｃも上下方向、左右方向及び先端の位置を合わせて据え付けられている。なお、上下方向において整列する上段、中段および下段の各プールコンベア群Ｃの集合をマトリックスプールコンベア群Ｍと称す。
【００５２】
したがって、本実施の形態の場合は、６つのマトリックスプールコンベア群Ｍから構成される。
【００５３】
そして、各マトリックスプールコンベア群Ｍの前方には、距離を隔てて夫々箱詰装置１５（１５ａ〜１５ｆ）が配置されており、本実施の形態の場合には、図１を参照すると、図中、左から４つのマトリックスプールコンベア群Ｍ（プールコンベア群Ｃ１〜Ｃ４でそれぞれ構成されている）に対応する箱詰装置１５ａ〜１５ｄは自動箱詰装置、箱詰装置１５ｅ、１５ｆは手動箱詰装置としている。
【００５４】
これらのマトリックスプールコンベア群Ｍと各箱詰装置１５ａ〜１５ｄとの間には、図３に示すように、複数レーンのコンベアからなる１段構成の送出コンベア１６（１６ａ〜１６ｆ）が配置されており、これらの送出コンベア１６は、箱詰装置１５側を支点として傾動することにより、傾動側の先端が上下３段のプールコンベア群Ｃのいずれかに選択的に接続し、接続したプールコンベア群Ｃの各レーンと送出コンベア１６の各レーンとが繋がり、この繋がったプールコンベア群Ｃの各プールコンベア１２の先端に設けたストッパー装置１３にストッパー解除信号を出力することによって農産物の載った受皿Ｄがプールコンベア群Ｃの各レーンから送出コンベア１６の各レーンを経て箱詰装置１５に供給される。
【００５５】
送出コンベア１６の先端部側には、上下方向に延びる昇降用のシリンダー装置１７が配置され、シリンダーロッド１７ａを上下動することにより送出コンベア１６が傾動するようになっている。
【００５６】
そして、払い出し制御装置１４から上段、中段あるいは下段のいずれかのプールコンベア群Ｃとの連結を行うための傾動信号が出力されると、シリンダー装置１７が駆動され、指示された上段、中段あるいは下段のいずれかのプールコンベア群Ｃに接続される。
【００５７】
なお、本実施の形態では、図３に示すように、送出コンベア１６を中段のプールコンベア群Ｃに合わせて設置し、送出コンベア１６は水平姿勢で中段のプールコンベア群Ｃと接続するようになっている。
【００５８】
図２に示すように、箱詰装置１５には、仕分け区分が固定されているものではなく、複数の仕分け区分（例えばＬ、Ｍ、Ｓ、ＳＳ等）に対応できるように複数種類のトレイパックを積載するトレイパック積載部１８（１８ａ、１８ｂ、１８ｃ、１８ｄ）と、箱詰位置に供給された包装箱Ｅにトレイパック積載部１８のトレイパックを移載するトレイパック移載装置１９と、送出コンベア１６から供給された農産物の載った受皿Ｄをプールする箱詰プールコンベア２０と、箱詰プールコンベア２０にプールされている受皿Ｄ上の農産物を一度に所定個数吸着保持して取り上げ、包装箱Ｅ内のトレイパックに移載し、所定個数の箱詰を行う農産物移載装置２１等を有している。
【００５９】
箱詰プールコンベア２０の先端には受皿排出用ストッパー２２が設けられ、払い出し制御装置１４からこの受皿排出用ストッパー２２に受皿排出信号が出力されると、箱詰のために農産物が取り上げられて空となった受皿Ｄが各箱詰装置毎に設けた受皿回収コンベア２３（２３ａ〜２３ｆ）に排出され、これらの受皿回収コンベア２３（２３ａ〜２３ｆ）からの空の受皿Ｄは合流用受皿回収コンベア２５に合流して再び農産物供給部４の分岐選別コンベア５ａ、５ａに供給される。
【００６０】
上記した各マトリックスプールコンベア群Ｍを構成する複数列で上下３段の各レーンにプールされている農産物は、例えば排出装置１１で各レーンに排出する際に演算制御装置７によって各レーン毎に個数が管理されている。勿論、前記各レーンに専用の個数センサーを設け、各レーンにプールされている農産物をカウントするようにしてもよい。
【００６１】
表１は、管理の一例を示している。
【００６２】
【表１】
0004634699.tif 000002
演算部と仕分け制御部とから構成される演算制御装置７は、箱詰装置１５に供給して箱詰するために必要な個数を各プールコンベア１２毎に計算し、箱詰包装単位（例えば一箱分）にプールされたプールコンベア１２から包装単位数の農産物を箱詰装置１５に払い出すように、送出コンベア１６を駆動するシリンダー装置１７と、該当するレーンのストッパー装置１３とを駆動制御する。
【００６３】
箱詰装置１５に供給された所定個数の農産物は、箱詰プールコンベア２０上でプールされ、農産物移載装置２１により箱詰態様（トレイパックの凹部の列数×行数）に合わせて所定個数の農産物が包装箱Ｅ内に移載されて箱詰される。
【００６４】
ところで、現在、選別から仕分けを経て箱詰を行っている農産物の品種をＡ品種とすると、Ａ品種と異なる品種であるＢ品種に切り換える際に、Ａ品種とＢ品種とが混ざらないようにするために、上下３段構成の全てのプールコンベア群Ｃから全ての農産物が排出されるのを待ってＢ品種を各段の農産物供給部４に供給していたのでは、品種の切り換えに要する時間が長くなる。
【００６５】
そこで、Ａ品種からＢ品種への切り替えを行う際に、Ａ品種をプールしているプールコンベア１２の中から端数処理をかけられた系列のレーン（特定のレーン）を選び、この特定のレーンに対する排出装置１１からの農産物の払い出しを禁止すると共に、当該特定のレーン内にプールしている農産物を他のレーンに優先して箱詰装置に排出して空の状態を早期に作り出し、この空のレーンにＢ品種をプールさせる。
【００６６】
なお、本明細書中で、複数のレーンに残った農産物中で、同一等階級の農産物が一箱に要する箱詰個数に満たない個数になる詰め合わせ計算を端数処理と称し、本実施の形態では特に上記した特定レーンの農産物を優先的に箱詰して早期に当該特定レーンを空の状態にするように演算する。
【００６７】
具体的には、上下３段の仕分け装置１と、これらの各段の仕分け装置１にそれぞれ連結される選別装置２において、下段の仕分け装置１とこれに連結される選別装置２とを第１系列選別仕分け装置、中段の仕分け装置１とこれに連結される選別装置２とを第２系列選別仕分け装置、上段の仕分け装置１とこれに連結される選別装置２とを第３系列選別仕分け装置とすると、例えば第１系列の農産物供給装置４においては品種Ａの供給が終了し、第１系列の仕分けコンベア９から品種Ａが全てプールコンベア群Ｃに排出されたのを作業者が確認すると、次の品種Ｂを選別するために農産物供給装置４の付近に配置した操作卓２４を作業者が操作して、第１系列選別仕分け装置について品種Ａから品種Ｂに切り換わることを演算制御装置７に通知する。
【００６８】
また、第２系列選別仕分け装置と第３系列選別仕分け装置の農産物供給部４に対する品種Ａの農産物の供給は継続する。
【００６９】
この端数処理を例えば、表１の場合を例にして説明する。なお、表１は説明簡略化のために図１と異なるレーン数（１系列におけるレーン数は実際には6レーンとしているが、表１ではその半分の３レーンとしている）また、箱詰個数は４個を一箱とし、Ｒはレーンを示す。
【００７０】
第１系列選別仕分け装置には、端数処理の指示が出力されたので、演算処理装置７は、第１レーンと第３レーンにプールされている農産物を第２、第３系列の第４〜第９レーンに優先して箱詰装置１５に排出するための計算を以下のように行う。
【００７１】
例１．第１系列選別仕分け装置のみに端数処理が指示された場合は、
(1)  優３Ｌについて、一箱の農産物個数を４とすると、「１R上の３個＋９R上の１個」の組み合わせが選択され、
(2)  秀３Ｌについて、一箱の農産物個数を４とすると、「３R上の３個＋５R上の１個」の組み合わせが選択される。この場合、送出コンベア１６の傾動動作を下段と中段のプールコンベア群Ｃの間だけで行えば良く、箱詰包装装置１５に対する農産物の払い出しに要する時間を短縮することができる。
【００７２】
これにより、第１系列選別仕分け装置の各レーンからは農産物が全て箱詰装置１５に払い出されたことになり、この空となった第１系列選別仕分け装置の第１、第２、第３レーンで構成されるプールコンベア群Ｃに次の品種Ｂの農産物をプールすることが可能となる。
【００７３】
なお、表１において、第２レーンは既に空状態にあるが、これは予め空としている場合、或いは仕分けの比率によって既に空となる場合、又は一箱分に相当する個数の農産物を箱詰装置１５に向けて払い出した直後である場合がある。
【００７４】
第１系列選別仕分け装置の仕分けコンベア９から品種Ａの農産物が全てプールコンベア群Ｃに排出されたことを確認した後に第１系列選別仕分け装置に端数処理の指示を行うのを待って、第１系列選別仕分け装置の農産物供給部４に品種Ｂの農産物を供給する。品種Ｂが農産物供給部４に供給されて計測装置６により計測された農産物は受皿Ｄと共に、仕分けコンベア９に搬送されている間に、第１系列選別仕分け装置の各プールコンベア群Ｃにおける各レーンが端数処理によって次々に空となり、空となったレーンに対し順次割り当てられた品種Ｂの仕分け区分の農産物が排出装置１１により払い出されてプールされる。
【００７５】
なお、品種Ａの農産物が残っているレーンには品種Ｂの農産物を払い出すことができないので、当該レーンに対応する排出装置１１を非駆動状態とし、このレーンが端数処理或いは強制払い出しによって空になるのを待つ。
【００７６】
なお、このような場合に、各プールコンベア群Ｃに予備のプールコンベアを設けるか、あるいは端数処理の指示が行われる系列のプールコンベア群Ｃの一つのレーンを空としておくことにより、品種Ｂの農産物を仕分けコンベア９上を周回移動させることなく予備のプールコンベアあるいは空のレーンに払い出しすることで、仕分けコンベア９上に農産物が溢れることを避けることができるようにしても良い。
【００７７】
第１系列選別仕分け装置のレーンにプールされている農産物を第２系列、第３系列選別仕分け装置のレーンに優先して箱詰装置１５に払い出すため、第１系列選別仕分け装置のレーンは早めに空となるが、第２系列選別仕分け装置と第３系列選別仕分け装置ではまだ品種Ａに対して選別仕分け処理が行われ、各箱詰装置１５では箱詰包装処理が行われるのに並行して、第１系列選別仕分け装置の各レーンに対しては品種Ｂの農産物がプールされる。
【００７８】
そして、第２系列、第３系列選別仕分け装置の各仕分けコンベア９上から農産物が全てプールコンベア群Ｃに払い出されたことを作業者が確認後、夫々の農産物供給部４の近くに配置した操作卓２４を作業者が操作して品種Ｂの供給開始を演算制御装置７に通知する。これにより、以後供給する農産物が品種Ｂであることを各農産物の等階級と共に演算制御装置７が記憶する。
【００７９】
この品種Ｂの供給開始を演算制御装置に指示した後、第２系列、第３系列選別仕分け装置の各レーンに品種Ａの農産物がプールされていても、品種Ｂの農産物を第２系列、第３系列選別仕分け装置の各農産物供給部に供給することができる。これにより、第２系列、第３系列選別仕分け装置では、品種Ｂの計測処理が行われ、夫々の仕分けコンベア９に品種Ｂの農産物が搬送され、第２、第３系列選別仕分け装置の空となった各レーンには、当該レーンに割り付けられた仕分け区分の品種Ｂの農産物が排出装置１１により払い出しされてプールされる。
【００８０】
そして、第２、第３系列選別仕分け装置の各レーンにプールされていた品種Ａの農産物が全て箱詰装置に払い出されて箱詰包装処理が行われ、最終的に１箱の包装個数に満たない品種Ａの農産物が包装箱に仮箱詰される。
【００８１】
表１に示す場合、品種切り替えの際、従来では各レーン毎に仮箱詰を行っていたので、第１レーンの３Ｌ：優３個で１箱、第３レーンの３Ｌ：秀３個で１箱、第５レーンの３Ｌ：秀２個で１箱、第７レーンの３Ｌ：秀３個で１箱、第９レーンの３Ｌ：優３個で１箱というように、この一つのマトリックスプールコンベア群Ｍで５箱の仮箱詰が発生する。
【００８２】
しかし、本実施の形態では、端数処理を行うため、最終的には第９レーンの３Ｌ：優３個の１箱だけが端数として残り、この端数３個が仮箱詰され、また３Ｌの秀については過不足なく全て箱詰される。
【００８３】
したがって、従来では５箱の仮箱詰が生じていたが、本実施の形態では仮箱詰が１個に減り、多数の仮の包装箱が散乱するという状況がなくなる。
【００８４】
このように、品種Ａの農産物に対する最終の箱詰包装処理が終了すると、マトリックスプールコンベア群Ｍには品種Ｂの農産物のみがプールされているため、品種Ａの箱詰包装の終了後、直ちに品種Ｂの農産物を箱詰装置１５に供給し、品種Ｂの箱詰包装処理を行うことが可能となる。
【００８５】
なお、上述の例１における端数処理の指示は第１系列選別仕分け装置のみについて行うようにしているが、第１、第２系列選別仕分け装置、あるいは全系列（第１〜第３系列選別仕分け装置）に対して端数処理の指示を行うようにすることもでき、例２、例３に端数処理の計算例を示す。
【００８６】
例２．第１、第２系列選別仕分け装置に端数処理を指示した場合
(1)  優３Ｌについて、一箱の農産物個数を４とすると、「１R上の３個＋９R上の１個」の組み合わせが選択され、
(2)秀３Ｌについて、一箱の農産物の個数を４とすると、「３R上の３個＋５R上の１個」の組み合わせが選択され、
(3)秀３Ｌについて、一箱の農産物の個数を４とすると、「５R上の１個＋７R上の３個」の組み合わせが選択される。
【００８７】
この場合、第１系列選別仕分け装置及び第２系列選別仕分け装置の各農産物供給部４の近くに配置した各操作卓２４を夫々作業者が操作して演算制御装置７に端数処理の指示を通知する。
【００８８】
例３．全系列選別仕分け装置に端数処理を指示した場合
(1)  優３Ｌについて、一箱の農産物の個数を４とすると、「１R上の３個＋９R上の１個」の組み合わせが選択され、
(2)  秀３Ｌについて、一箱の農産物の個数を４とすると、「３R上の３個＋５R上の１個」の組み合わせが選択され、
(3)  秀３Ｌについて、一箱の農産物の個数を４とすると、「５R上の１個＋７R上の３個」の組み合わせが選択され、
(4)  優３Ｌについて、一箱の農産物の個数を２とすると、「９R上の２個」の組み合わせが選択される。
【００８９】
図５は演算制御装置７による上記した端数処理および箱詰処理の動作を説明するフローチャートである。
【００９０】
端数詰合処理が開始されると、ステップ（以下Ｓと略す）１において、各マトリックスプールコンベア群Ｍを一つの領域として、１レーンを構成するプールコンベア上の農産物の個数を集計する。
【００９１】
Ｓ２において、各マトリックスプールコンベア群Ｍ内でのプールコンベア１２上にプールされている農産物の個数に基づいて、端数処理の指示された系列のレーンを優先的に空とする詰合わせ計算を行い、マトリックスプールコンベア群Ｍのいずれのレーンからどれだけの個数を払い出すかを求め、シリンダー装置１７及び該当するレーンのストッパー装置１３を制御する。
【００９２】
Ｓ３において、ストッパー装置１３に対してストッパー解除を指示し、農産物の払い出しを行い、所定個数の払い出しが行われるとストッパーを動作させて農産物の払い出しを阻止する。その際、箱詰装置１５に払い出し指示を行い（Ｓ７）、箱詰を行わせ（Ｓ９）、箱詰が完了すると箱詰完了を指示する（Ｓ９）。
【００９３】
箱詰が完了すると（Ｓ４）、マトリックスプールコンベア群Ｍの各レーンにプールされている農産物の個数データを修正し（Ｓ５）、この一連の動作を端数処理が終了するまで行う（Ｓ６）。
【００９４】
本実施の形態において、品種Ａから品種Ｂへの切り替え動作を図６に示すフローチャートに基づいて説明する。
【００９５】
現在、操作卓２４を操作して品種Ａの端数処理を指示すると、演算制御装置７の仕分け制御部は端数処理の指示を受けて（Ｓ１４）、品種Ａの農産物の端数を集めて所定の箱詰個数となる端数箱詰の指示を行う（Ｓ１５）。
【００９６】
そして、Ｓ１６において、バーコードリーダー１０にて仕分けコンベア９上を搬送される農産物を載せた受皿Ｄのバーコードにより読み取ることでその農産物の品種を判別し、読み取った農産物の品種が品種Ａであれば、品種Ａについて該当する仕分け区分のプールコンベアを検索し（Ｓ１７）、品種Ａの農産物を排出装置１１により所定のプールコンベアに払い出す仕分け処理を行う（Ｓ１９）。
【００９７】
また、操作卓２４で品種を品種Ａから品種Ｂに切り替えたことが仕分け制御部に送信された場合、仕分けコンベア９上を搬送する農産物の品種をその受皿Ｄのバーコードをバーコードリーダー１０により読み取ることで認識すると、空のプールコンベアを検索し、この空のプールコンベアを品種Ｂの特定の仕分け区分の農産物をプールするために割り付け（Ｓ１８）、品種Ｂの農産物をプールするために仕分け排出する（Ｓ１９）。
【００９８】
なお、操作卓２４では、端数処理の指示後、品種Ｂへの切り替え操作を演算制御装置７等に指示する。
【００９９】
なお、上記した実施の形態は、農産物の品種を品種Ａから品種Ｂに切り替える場合を例にして説明したが、品目の切り替えを行う場合も同様である。
【０１００】
なお、品目メロンについて品種としては、「アンデス」、「プリンス」、「アールス」。品目トマトについて品種としては「ファースト」、「桃太郎」。品目桃について品種としては「白鳳」、「あかつき」、「千曲」等がある。
【０１０１】
また、品目別選別、例えば「桃」「梨」「りんご」においては、トレイパックについて共通化（個数が同じもの）している。
【０１０２】
【発明の効果】
請求項１に係る発明によれば、仕分けコンベア上を搬送する農産物については等級、階級の仕分け区分と共に例えば品種又は品目の項目を記憶することができ、例えば品種Ａの農産物に続いて異なる品種Ｂを搬送しても、例えば農産物の品種の切り替えの際に、切り替え前の品種Ａの農産物がプールされていない空のプールコンベアに切り替え後の品種Ｂの農産物をプールさせることができる。このため、切り替え前の品種Ａの農産物の包装処理と並行して切り替え後の品種Ｂの農産物についての選別仕分け処理が行え、切り替え前の農産物の包装処理が進めば空となるプールコンベアも増え、これに応じて切り替え後の農産物が占めるプールコンベアの割合が増えるので、切り替え前の農産物の包装処理に並行して切り替え後の農産物の包装処理も可能となり、切り替え前の農産物包装処理が終了すると、直ちに切り替え後の農産物の包装処理を実行することができ、切り替え前の農産物の包装終了から切り替え後の農産物の包装開始までに要する時間が短縮できる。
【０１０３】
請求項２に係る発明によれば、例えば上段、中段、下段の３系列の仕分け装置によって仕分け部を構成することができ、例えば1系列における６レーンのプールコンベアを３系列合わせたものを一つのグループとすると、一つのプールコンベア群には１８レーンのプールコンベアが存在する。そして、農産物の品種又は品目の切り替えの際に、１８レーンのプールコンベアの中で各系列毎に１又は複数の空のプールコンベアを用意しておけば、上記した第１の構成と同様に、切り替え後の農産物は空のプールコンベアにプールされ、切り替え前の農産物は、送出装置によって包装部に送出されて包装され、一度に大量の農産物を処理できる仕分け部を備えた農産物の選別包装装置に対して農産物の品種或いは品目の切り替えを短時間で行うことができる。
【０１０５】
特に、請求項２に係る発明によれば、例えば３系列に渡る一つのプールコンベア群における複数のプールコンベアには、例えば階級が３Ｌの品種「アンデス」のメロンが等級（優、秀等）別にプールされている場合、品種を「プリンス」に切り替え、農産物の切り替え指示を例えば上下３段構成の下段の仕分け装置に指示したとすると、該下段の仕分け装置のプールコンベアにプールされている切り替え前の農産物から包装部に排出されるので、下段のプールコンベアが他の系列のプールコンベアよりも早期に空となり、農産物の切り替えが指示された下段の空のプールコンベアに切り替え後の農産物がプールされる。
【０１０６】
また、請求項１、２に係る発明によれば、端数処理によって、同一仕分け区分の農産物を最終的に端数が出るまで所定個数での箱詰が行えるので、箱詰個数に満たない端数個の農産物を仮に収容した箱の個数を大幅に削減することができ、包装部の周囲を整頓することができた。
【０１０７】
さらに、従来では端数の農産物を複数の包装箱に仮に収容し、後でこれらの農産物を手作業で箱詰し、最終的に端数の出たものを一箱に収容していたが、請求項１、２に係る発明によれば、このような作業が自動化され、その分作業者を農産物の供給に投入することができ、農産物の迅速な供給を行うことができる。
【図面の簡単な説明】
【図１】本発明の実施の形態による農産物の選別包装装置の平面図。
【図２】図１に示す排出装置から箱詰装置の間の平面図。
【図３】図１のＡ−Ａ線に沿った側面図。
【図４】図１の演算制御装置に記憶される農産物のデータを示す図。
【図５】図１の演算制御装置が実行する端数詰合処理及び箱詰装置の動作を示すフローチャートである。
【図６】図１の演算制御装置の仕分け制御部が実行する仕分け排出処理と操作卓の操作出力を示すフローチャートである。
【符号の説明】
Ｃ（Ｃ１〜Ｃ６）  プールコンベア群
Ｄ  受皿
Ｅ  包装箱
Ｍ  マトリックスプールコンベア群
Ｐ１  作業者
Ｒ  レーン
１  仕分け装置
２  選別装置
３  選別コンベア
４  農産物供給部
５ａ、５ａ  分岐選別コンベア
６  計測装置
７  演算制御装置
８ａ、８ｂ  バーコードリーダー
９  仕分けコンベア
９ａ  払い出し搬送路
９ｂ  リターン搬送路
１０  払い出し用バーコードリーダー
１１  排出装置
１１ａ  回転体
１２ａ〜１２ｆ  プールコンベア
１３  ストッパー装置
１３ａ  ストッパー部材
１４  払い出し制御装置
１５（１５ａ〜１５ｆ）  箱詰装置
１６（１６ａ〜１６ｆ）  送出コンベア
１７  シリンダー装置
１７ａ  シリンダーロッド
１８（１８ａ、１８ｂ、１８ｃ、１８ｄ）  トレイパック積載部
１９  トレイパック移載装置
２０  箱詰プールコンベア
２１  農産物移載装置
２２  受皿排出用ストッパー
２３（２３ａ〜２３ｆ）  受皿回収コンベア
２４  操作卓
２５  合流用受皿回収コンベア
【図１】
0004634699.tif 000003
【図２】
0004634699.tif 000004
【図３】
0004634699.tif 000005
【図４】
0004634699.tif 000006
【図５】
0004634699.tif 000007
【図６】
0004634699.tif 000008